(57)【要約】      （修正有）【課題】篩い枠の耳片の適所に設けた薄肉部において超音波振動子とホーンを接続することにより、超音波振動子への熱ダメージを無くし、また、網枠の内側部分の厚みを減少させてざぐり部を設けることにより弾性サポートにおける振動摩擦を低減し、網枠への熱伝達を防ぐことにより、被処理体としての粉や粒への悪影響を無くした振動篩い機等に使用する篩い枠を提供する。【解決手段】共振体として構成し、且つ篩い網２を張設した網枠１Ａの外周にこれと一体的に形成した耳片３を縦振動の共振体を構成する超音波振動子６とホーン５により挟着して接続する振動篩い機用の篩い枠１であって、前記網枠１Ａの外周に形成した耳片３の適所に、上下両面から同一の深さ及び広さの薄肉部４を形成し、該薄肉部４において前記超音波振動子６とホーン５を接続し、更に網枠１Ａを、その内側部分１Ｂの厚みを減少させてざぐり部となして、段差を設ける。【選択図】図５
2008114133.tif 000002
【特許請求の範囲】
【請求項１】
耳片を含めた篩い枠を所定周波数の曲げ振動の共振体として構成し、且つ篩い網を張設した網枠の外周にこれと一体的に形成した耳片を縦振動の共振体を構成する超音波振動子とホーンにより挟着して接続する振動篩い機用の篩い枠であって、前記網枠の外周に形成した耳片の適所に、上下両面から同一の深さ及び広さの薄肉部を形成し、該薄肉部において前記超音波振動子とホーンを接続したことを特徴とする篩い枠。
【請求項２】
網枠を、厚みを減少させてざぐり部として段差を設けてなる請求項１記載の篩い枠。
【発明の詳細な説明】
【技術分野】
【０００１】
本発明は振動容器をモータによって振動させると共に、該振動容器内に配設した共振体としての篩い枠を超音波振動子によって振動させ、該篩い枠の網枠に張設した篩い網をもって粉体、粒体等を篩い分ける振動篩い機等に使用する篩い枠に関するものである。
【背景技術】
【０００２】
振動篩い機には、例えば特開平１１−１２８８４２号公開公報に示された振動篩い機の如く、篩い網を振動させる超音波振動子を振動容器内に設けるものと、特開２００３−１４５０５１号公開公報に示された振動篩い機の如く、篩い網を振動させる超音波振動子を振動容器の外部に設けるものとがある。本発明は斯かる二種類の振動篩い機における後者に属するものである。
【０００３】
そして、斯かる後者に属するタイプの振動篩い機は、特開２００３−１４５０５１号公開公報に示されたものの如く、有底円筒状の容器本体の上端開口縁に円筒体を継ぎ合わせて構成する振動容器における前記容器本体の下部に、振動用モータを接続し、一方の面に篩い網を張設し、外周に耳片を一体的に形成した平板からなる環状の網枠を、前記容器本体の上端開口縁と円筒体との間に弾性サポートを介在させて配設し、該円筒体の下縁の一部に設けた切欠部から該網枠の耳片を外部に突出せしめ、これに超音波振動子を接続してなるものである。また、図１７にはその一部を示しており、１００は振動篩い機、１０１は振動容器における有底円筒状の容器本体、１０２は該容器本体１０１の上端開口縁に継ぎ合わせる円筒体、１０３は一方の面に篩い網１０４を張設し、外周に耳片１０５を一体的に形成した、平板からなる環状の網枠である。また、１０６、１０７は該網枠１０３と前記容器本体１０１及び円筒体１０２との間に介在させた弾性サポート、１０８は前記網枠１０３の耳片１０５に接続した超音波振動子である。
【０００４】
而して、斯かる振動篩い機１００には、次の如き問題点がある。それは、超音波振動子１０８が作動したとき、これを接続している耳片１０５の振動振幅が大きく、このため超音波振動子の接続部及び網枠１０３と弾性サポート１０６、１０７との間において大きな振動摩擦が起こり、大きく発熱することである。そして、この熱が超音波振動子にダメージを与え、更に被処理体である粉や粒の品質に悪影響を及ぼすことになる。
【０００５】
斯かる従来品の場合には、篩い枠の肉圧が厚いため、効果ある振幅で耳片を駆動した場合、超音波振動子端面が常に全面耳片と接触せず、図１８に示す如く耳片が彎曲した形となるので、超音波振動子端面と耳片との間に摩擦が生じ、その部位での発熱及びその部位での摩耗が生ずる。
【０００６】
また、超音波振動子１０８が作動したときに、耳片１０５は超音波振動子１０８の作動周波数で共振するように作られているため、耳片１０５は恰も大きな交流波形の如きうねり状に変形し、弾性サポート１０６、１０６との間で大きな振動摩擦が起こるものである。また、このように強い振動摩擦がおこることから超音波振動子１０８によって供給される振動エネルギーが減衰し、エネルギーの損失を生ずることになり、超音波振動子へのダメージ、超音波振動子接続部の摩耗等により連続した長時間の使用に耐えられない。
【発明の開示】
【発明が解決しようとする課題】
【０００７】
本発明は上記の点に鑑みなされたものであって、耳片を含めた篩い枠を所定周波数の曲げ振動の共振体として構成した篩い枠の耳片の適所における超音波振動子取付部の肉圧を薄くすることで、超音波振動子が作動したときにおける超音波振動子と篩い枠との摩擦を最小限にし、その部位での発熱を低くすると共に接続部での摩耗を少なくすることで、超音波振動子への熱ダメージを無くし、摩耗が少ないことにより、長時間の連続使用を可能としたものである。また、耳片を含めた篩い枠全体を曲げ振動の共振体とすることで、耳片で作られる微小振動も振動振幅の減衰なく弾性サポート部にまで伝播させることができる。また、網枠の内側部分にざくり部を設けることにより段差を設けることで、弾性サポート部の振動が小さくても大きな効果が得られるようにし、弾性サポート部の発熱を少なくすることで、被処理体としての粉や粒への熱影響を無くしたものである。例えば、図１９に示す如き篩い枠で弾性サポート部より網枠の断面の厚みを均一にして小さくしなかった場合には、共振周波数約４０ｋＨｚで、超音波振動子の振幅を１０ミクロンとすると、網枠に伝わる振動は超音波の効果を充分発揮できる振動振幅であったが、弾性サポート部での発熱は許容できるものではなかった。また同篩い枠で超音波振動子の振幅を５ミクロンとした場合には、弾性サポート部で生じる発熱は許容できるものであったが、網枠に伝わる振動振幅は超音波の効果が充分に発揮できるものではなかった。
【０００８】
これに対して、図１に示す如く網枠の断面の厚みを小さくした場合には、弾性サポート部位より網側の網枠断面の厚みを小さくして網部での振動振幅が効果ある大きさまで増幅されるので、超音波振動子の振動振幅が５ミクロンで弾性サポート部での発熱は許容できるものであり、且つ網部の振動振幅も超音波振動の効果を得るのに充分なものである。更に超音波振動子の振動が効率よく耳片に伝達し、網枠の振動振幅を小さくして、網枠と弾性サポートとの間の振動摩擦を低減し、もって上記従来品の問題点を悉く解消し、併せて超音波振動子から供給する超音波振幅を小さくしても十分な篩い効果を得ることができるようになした振動篩い機用篩い枠を提供せんとするものである。
【課題を解決するための手段】
【０００９】
而して、本発明の要旨とするところは、耳片を含めた篩い枠を所定周波数の曲げ振動の共振体として構成し、且つ篩い網を張設した網枠の外周にこれと一体的に形成した耳片を縦振動の共振体を構成する超音波振動子とホーンにより挟着して接続する振動篩い機用の篩い枠であって、前記網枠の外周に形成した耳片の適所に、上下両面から同一の深さ及び広さの薄肉部を形成し、該薄肉部において前記超音波振動子とホーンを接続したことを特徴とする篩い枠にある。
【００１０】
また、上記構成において、網枠を、その内側部分の厚みを減少させてざくり部とし、段差を設けるようになしてもよい。このようになした場合には、耳片から網枠に伝達された振動振幅を増幅して篩い網に伝えることができる。したがって、篩い作用を一層向上させることができる。且つまた、篩い枠の耳片を振動させる超音波振動子から供給する超音波振幅も小さくて済むようにすることができる。
【発明の効果】
【００１１】
本発明は上記の如き構成であるから、網部の超音波振動振幅が充分効果が得られる振幅で網枠が振動でき、且つ超音波振動子が作動したときにおける網枠の耳片の振動振幅を小さくすることができるものである。したがって、従来品における問題点であった超音波振動子の接続部における発熱を少なくし、且つ超音波振動子取付部の摩擦による摩耗を少なくすることにより熱ダメージを無くすることができ、更に網枠と弾性サポートとの間の振動摩擦による発熱を防ぐことができ、且つまた、斯かる振動摩擦によるエネルギー損失も少なくなるから、長時間の連続運転を可能にすると共に被処理体への熱による悪影響を無くすことができるものである。したがって、超音波振動子から供給する超音波振幅を小さくしても充分な篩い効果を得ることができるものである。
【発明を実施するための最良の形態】
【００１２】
本発明を実施するための最良の形態は、耳片を含めた篩い枠を所定周波数の曲げ振動の共振体として構成し、且つ篩い網を張設した網枠の外周にこれと一体的に形成した耳片を縦振動の共振体を構成する超音波振動子とホーンにより挟着して接続する振動篩い機用の篩い枠であって、前記網枠の外周に形成した耳片の適所に、上下両面から同一の深さ及び広さの薄肉部を形成し、該薄肉部において前記超音波振動子とホーンを接続し、また網枠を、その内側部分の厚みを減少させてざぐり部とし、段差を設けるようになしたことにある。
【実施例】
【００１３】
以下、本発明の実施例について検討する。
図１は本発明において用いる網枠であって、網枠の断面の厚みを網部に向かって小さくし、網枠全体が約４０ｋＨｚで曲げ振動で共振するように製作した場合の平面図、図２は図１中Ａ−Ａ線拡大断面図、図３は図１中Ｂ−Ｂ線拡大断面図、図４は網枠の端部の拡大断面図、図５は耳片の薄肉部に超音波振動子を接続した状態の拡大断面図、図６は超音波振動子の一部切欠して示した正面図、図７はホーンの正面図、図８は本発明の作用説明図、図９は内側部分の厚みを減少させない網枠の振動モードをＦＥＭ解析した図、図１０は図９中Ａ−Ａ線拡大断面図、図１１は図９中Ａ−Ａ線断面部分の振動時の変形状態をＦＥＭ解析した図、図１２は図９中Ａ−Ａ線断面部分の半周期後の振動時の変形状態をＦＥＭ解析した図、図１３は内側部分の厚みを減少させた網枠の振動モードをＦＥＭ解析した図、図１４は図１３中Ｂ−Ｂ線拡大断面図、図１５は図１３中Ｂ−Ｂ線断面部分の振動時の変形状態をＦＥＭ解析した図、図１６は図１３中Ｂ−Ｂ線断面部分の半周期後の振動時の変形状態をＦＥＭ解析した図である。
【００１４】
本発明に係る振動篩い機は、前記従来の振動篩い機と同様であり、有底円筒状の容器本体の上端開口縁に円筒体を継ぎ合わせて構成する振動容器における前記容器本体の下部に、振動用モータを接続し、一方の面に篩い網を張設し、外周に耳片を一体的に形成した環状の網枠を、前記容器本体の上端開口縁と円筒体との間に弾性サポートを介在させて配設し、該円筒体の下縁の一部に設けた切欠部から該網枠の耳片を外部に突出せしめ、該耳片にホーンを用いて超音波振動子を接続してなるものである。したがって、その図面と詳細な説明は省略する。また、本発明において特徴とする部分については、別符号を付して説明する。
【００１５】
而して、本発明において特徴とするところは、一方の面に篩い網２を張設した網枠１Ａの外周に形成した耳片３の幅方向の中心部に、上下両面から同一の深さ及び広さに切削して薄肉部４を形成し、該薄肉部４にホーン５を用いて超音波振動子６を接続したことにある。また、前記網枠１Ａは、本発明の一例を示した本実施例ではステンレスの平板を環状に成形したものであり、周波数は４０ｋＨｚである。また、篩い枠１の厚みは約８ｍｍ、その耳片に設けた薄肉部の厚みは約２．４ｍｍ、直径は約３５ｍｍであり、また網枠の外径は約４９５ｍｍ、内径は４３５ｍｍであり、ざくり部の内径は約４６１ｍｍ、ざぐり部の切削段差の厚みは約１．７ｍｍ、である。尚、４ａは前記耳片３に形成した薄肉部４の中心に穿設したねじ挿通孔である。また、網枠１Ａへの篩い網２の張設は、図４に示す如く樹脂製の接着剤Ｇで接着するか、金属製の鑞材で鑞付けして行う。そしてまた、前記網枠１Ａは、切削してざぐり部となしてその内側部分１Ｂの厚みを減少させ断面段状に形成して段差を設けている。また、ホーン５を用いる超音波振動子６の前記薄肉部４への接続は、ホーン５の雄ねじ５ａを薄肉部４のねじ挿通孔４ａに通し、該薄肉部４の反対側の面において該雄ねじ５ａを超音波振動子６の雌ねじ６ａに螺合して行うものである。
【００１６】
次に本発明の作用について説明する。
図５に示す状態において超音波振動子６を作動させると、超音波振動子６とホーン５が両側から挟み付けるようにして接続されている部分は必要な程度にまで肉圧を減じた薄肉部４であることから、図８に示す如く、篩い枠１の肉圧の一部を薄肉部とし、その部位を振動力に充分打ち勝つ力で超音波振動子６とホーン５により締め付けることにより、ホーン及び超音波振動子端面と薄肉部は振動中常に摩擦がない状態で接触することができ、発熱及び摩耗を生ずることがないものである。これにより、従来品の如き超音波振動子の接続部における熱ダメージや、網枠１Ａと弾性サポート（図示せず。）との間の振動摩擦による熱は大幅に低減されるものである。また、このように大きな振動摩擦が生じないことから、振動摩擦による大きなエネルギーの減衰、即ちエネルギーの損失は起こらず、もって超音波振動子から供給する超音波振幅を小さくしても充分な篩い効果を得ることができるものである。
【００１７】
また、網枠１Ａは、その内側部分１Ｂの厚みを減少させてざぐり部となして段差を設けているから、耳片３から網枠１Ａに伝達された振動振幅を増幅して篩い網２に伝えることができるものである。したがって、篩い作用を一層向上させることができるものである。且つまた、篩い枠１１の耳片３を振動させる超音波振動子６から供給する超音波振幅も小さくて済むようにすることができるものである。尚、この点については、図９乃至図１２に示した網枠と、図１３乃至図１４に示した網枠との振動時の変位量Ａ、Ｂの差からも明らかである。
【図面の簡単な説明】
【００１８】
【図１】本発明において用いる網枠を示すものであって、網枠の断面の厚みを網部に向かって小さくし、網枠全体が約４０ｋＨｚで曲げ振動で共振するように製作した場合を示す平面図である。
【図２】図１中Ａ−Ａ線拡大断面図である。
【図３】図１中Ｂ−Ｂ線拡大断面図である。
【図４】網枠の端部の拡大断面図である。
【図５】耳片の薄肉部に超音波振動子を接続した状態の拡大断面図である。
【図６】超音波振動子の一部切欠して示した正面図である。
【図７】ホーンの正面図である。
【図８】本発明の作用説明図である。
【図９】内側部分の厚みを減少させない網枠の振動モードをＦＥＭ解析した図である。
【図１０】図９中Ａ−Ａ線拡大断面図である。
【図１１】図９中Ａ−Ａ線断面部分の振動時の変形状態をＦＥＭ解析した図である。
【図１２】図９中Ａ−Ａ線断面部分の半周期後の振動時の変形状態をＦＥＭ解析した図である。
【図１３】内側部分の厚みを減少させた網枠の振動モードをＦＥＭ解析した図である。
【図１４】図１３中Ｂ−Ｂ線拡大断面図である。
【図１５】図１３中Ｂ−Ｂ線断面部分の振動時の変形状態をＦＥＭ解析した図である。
【図１６】図１３中Ｂ−Ｂ線断面部分の半周期後の振動時の変形状態をＦＥＭ解析した図である。
【図１７】従来の振動篩い機の部分断面図である。
【図１８】従来の振動篩い機における問題点の説明図である。
【図１９】網枠の断面を均一にし、網枠全体が約４０ｋＨｚで曲げ振動で共振するように製作した場合を示す平面図である。
【符号の説明】
【００１９】
１  篩い枠
１Ａ  網枠
１Ｂ  網枠１Ａの内側部分
２  篩い網
３  耳片
４  薄肉部
５  ホーン
６  超音波振動子
【図１】
2008114133.tif 000003
【図２】
2008114133.tif 000004
【図３】
2008114133.tif 000005
【図４】
2008114133.tif 000006
【図５】
2008114133.tif 000007
【図６】
2008114133.tif 000008
【図７】
2008114133.tif 000009
【図８】
2008114133.tif 000010
【図９】
2008114133.tif 000011
【図１０】
2008114133.tif 000012
【図１１】
2008114133.tif 000013
【図１２】
2008114133.tif 000014
【図１３】
2008114133.tif 000015
【図１４】
2008114133.tif 000016
【図１５】
2008114133.tif 000017
【図１６】
2008114133.tif 000018
【図１７】
2008114133.tif 000019
【図１８】
2008114133.tif 000020
【図１９】
2008114133.tif 000021
【手続補正書】
【提出日】平成18年11月24日(2006.11.24)
【手続補正１】
【補正対象書類名】明細書
【補正対象項目名】０００６
【補正方法】変更
【補正の内容】
【０００６】
また、超音波振動子１０８が作動したときに、耳片１０５は超音波振動子１０８の作動周波数で共振するように作られているため、耳片１０５は恰も大きな交流波形の如きうねり状に変形し、弾性サポート１０６、１０７との間で大きな振動摩擦が起こるものである。また、このように強い振動摩擦が起こることから超音波振動子１０８によって供給される振動エネルギーが減衰し、エネルギーの損失を生ずることになり、超音波振動子へのダメージ、超音波振動子接続部の摩耗等により連続した長時間の使用に耐えられない。
【手続補正２】
【補正対象書類名】明細書
【補正対象項目名】０００７
【補正方法】変更
【補正の内容】
【０００７】
本発明は上記の点に鑑みなされたものであって、耳片を含めた篩い枠を所定周波数の曲げ振動の共振体として構成した篩い枠の耳片の適所における超音波振動子取付部の肉圧を薄くすることで、超音波振動子が作動したときにおける超音波振動子と篩い枠との摩擦を最小限にし、その部位での発熱を低くすると共に接続部での摩耗を少なくすることで、超音波振動子への熱ダメージを無くし、摩耗が少ないことにより、長時間の連続使用を可能としたものである。また、耳片を含めた篩い枠全体を曲げ振動の共振体とすることで、耳片で作られる微小振動も振動振幅の減衰なく弾性サポート部にまで伝播させることができる。また、網枠の内側部分にざぐり部を設けることにより段差を設けることで、弾性サポート部の振動が小さくても大きな効果が得られるようにし、弾性サポート部の発熱を少なくすることで、被処理体としての粉や粒への熱影響を無くしたものである。例えば、図１９に示す如き篩い枠で弾性サポート部より網枠の断面の厚みを均一にして小さくしなかった場合には、共振周波数約４０ｋＨｚで、超音波振動子の振幅を１０ミクロンとすると、網枠に伝わる振動は超音波の効果を充分発揮できる振動振幅であったが、弾性サポート部での発熱は許容できるものではなかった。また同篩い枠で超音波振動子の振幅を５ミクロンとした場合には、弾性サポート部で生じる発熱は許容できるものであったが、網枠に伝わる振動振幅は超音波の効果が充分に発揮できるものではなかった。
【手続補正３】
【補正対象書類名】明細書
【補正対象項目名】００１０
【補正方法】変更
【補正の内容】
【００１０】
また、上記構成において、網枠を、その内側部分の厚みを減少させてざぐり部とし、段差を設けるようになしてもよい。このようになした場合には、耳片から網枠に伝達された振動振幅を増幅して篩い網に伝えることができる。したがって、篩い作用を一層向上させることができる。且つまた、篩い枠の耳片を振動させる超音波振動子から供給する超音波振幅も小さくて済むようにすることができる。
【手続補正４】
【補正対象書類名】明細書
【補正対象項目名】００１３
【補正方法】変更
【補正の内容】
【００１３】
以下、本発明の実施例について検討する。
図１は本発明において用いる網枠であって、網枠の断面の厚みを網部に向かって小さくし、網枠全体が約４０ｋＨｚで曲げ振動で共振するように製作した場合の平面図、図２は図１中Ａ−Ａ線断面図、図３は図１中Ｂ−Ｂ線断面図、図４は網枠の端部の拡大断面図、図５は耳片の薄肉部に超音波振動子を接続した状態の拡大断面図、図６は超音波振動子の一部切欠して示した正面図、図７はホーンの正面図、図８は本発明の作用説明図、図９は内側部分の厚みを減少させない網枠の振動モードをＦＥＭ解析した図、図１０は図９中Ａ−Ａ線拡大断面図、図１１は図９中Ａ−Ａ線断面部分の振動時の変形状態をＦＥＭ解析した図、図１３は内側部分の厚みを減少させた網枠の振動モードをＦＥＭ解析した図、図１４は図１３中Ｂ−Ｂ線拡大断面図、図１５は図１３中Ｂ−Ｂ線断面部分の振動時の変形状態をＦＥＭ解析した図、図１６は図１３中Ｂ−Ｂ線断面部分の半周期後の振動時の変形状態をＦＥＭ解析した図である。
【手続補正５】
【補正対象書類名】明細書
【補正対象項目名】００１５
【補正方法】変更
【補正の内容】
【００１５】
而して、本発明において特徴とするところは、一方の面に篩い網２を張設した網枠１Ａの外周に形成した耳片３の幅方向の中心部に、上下両面から同一の深さ及び広さに切削して薄肉部４を形成し、該薄肉部４にホーン５を用いて超音波振動子６を接続したことにある。また、前記網枠１Ａは、本発明の一例を示した本実施例ではステンレスの平板を環状に成形したものであり、共振周波数は約４０ｋＨｚである。また、篩い枠１の厚みは約８ｍｍ、その耳片に設けた薄肉部の厚みは約２．４ｍｍ、直径は約３５ｍｍであり、また網枠の外径は約４９５ｍｍ、内径は４３５ｍｍであり、ざぐり部の内径は約４６１ｍｍ、ざぐり部の切削段差の厚みは約１．７ｍｍである。尚、４ａは前記耳片３に形成した薄肉部４の中心に穿設したねじ挿通孔である。また、網枠１Ａへの篩い網２の張設は、図４に示す如く樹脂製の接着剤Ｇで接着するか、金属製の鑞材で鑞付けして行う。そしてまた、前記網枠１Ａは、切削してざぐり部となしてその内側部分１Ｂの厚みを減少させ断面段状に形成して段差を設けている。また、ホーン５を用いる超音波振動子６の前記薄肉部４への接続は、ホーン５の雄ねじ５ａを薄肉部４のねじ挿通孔４ａに通し、該薄肉部４の反対側の面において該雄ねじ５ａを超音波振動子６の雌ねじ６ａに螺合して行うものである。
【手続補正６】
【補正対象書類名】明細書
【補正対象項目名】００１７
【補正方法】変更
【補正の内容】
【００１７】
また、網枠１Ａは、その内側部分１Ｂの厚みを減少させてざぐり部となして段差を設けているから、耳片３から網枠１Ａに伝達された振動振幅を増幅して篩い網２に伝えることができるものである。したがって、篩い作用を一層向上させることができるものである。且つまた、篩い枠１の耳片３を振動させる超音波振動子６から供給する超音波振幅も小さくて済むようにすることができるものである。尚、この点については、図９乃至図１２に示した網枠と、図１３乃至図１６に示した網枠との振動時の変位量Ａ、Ｂの差からも明らかである。
【手続補正７】
【補正対象書類名】明細書
【補正対象項目名】００１８
【補正方法】変更
【補正の内容】
【００１８】
【図１】本発明において用いる網枠を示すものであって、網枠の断面の厚みを網部に向かって小さくし、網枠全体が約４０ｋＨｚで曲げ振動で共振するように製作した場合を示す平面図である。
【図２】図１中Ａ−Ａ線断面図である。
【図３】図１中Ｂ−Ｂ線拡大断面図である。
【図４】網枠の端部の拡大断面図である。
【図５】耳片の薄肉部に超音波振動子を接続した状態の拡大断面図である。
【図６】超音波振動子の一部切欠して示した正面図である。
【図７】ホーンの正面図である。
【図８】本発明の作用説明図である。
【図９】内側部分の厚みを減少させない網枠の振動モードをＦＥＭ解析した図である。
【図１０】図９中Ａ−Ａ線拡大断面図である。
【図１１】図９中Ａ−Ａ線断面部分の振動時の変形状態をＦＥＭ解析した図である。
【図１２】図９中Ａ−Ａ線断面部分の半周期後の振動時の変形状態をＦＥＭ解析した図である。
【図１３】内側部分の厚みを減少させた網枠の振動モードをＦＥＭ解析した図である。
【図１４】図１３中Ｂ−Ｂ線拡大断面図である。
【図１５】図１３中Ｂ−Ｂ線断面部分の振動時の変形状態をＦＥＭ解析した図である。
【図１６】図１３中Ｂ−Ｂ線断面部分の半周期後の振動時の変形状態をＦＥＭ解析した図である。
【図１７】従来の振動篩い機の部分断面図である。
【図１８】従来の振動篩い機における問題点の説明図である。
【図１９】網枠の断面を均一にし、網枠全体が約４０ｋＨｚで曲げ振動で共振するように製作した場合を示す平面図である。
【手続補正８】
【補正対象書類名】図面
【補正対象項目名】図１
【補正方法】変更
【補正の内容】
【図１】
2008114133.tif 000022
【手続補正９】
【補正対象書類名】図面
【補正対象項目名】図８
【補正方法】変更
【補正の内容】
【図８】
2008114133.tif 000023
【手続補正１０】
【補正対象書類名】図面
【補正対象項目名】図１２
【補正方法】変更
【補正の内容】
【図１２】
2008114133.tif 000024
【手続補正書】
【提出日】平成18年11月27日(2006.11.27)
【手続補正１】
【補正対象書類名】明細書
【補正対象項目名】００１３
【補正方法】変更
【補正の内容】
【００１３】
以下、本発明の実施例について検討する。
図１は本発明において用いる網枠であって、網枠の断面の厚みを網部に向かって小さくし、網枠全体が約４０ｋＨｚで曲げ振動で共振するように製作した場合の平面図、図２は図１中Ａ−Ａ線断面図、図３は図１中Ｂ−Ｂ線断面図、図４は網枠の端部の拡大断面図、図５は耳片の薄肉部に超音波振動子を接続した状態の拡大断面図、図６は超音波振動子の一部切欠して示した正面図、図７はホーンの正面図、図８は本発明の作用説明図、図９は内側部分の厚みを減少させない網枠の振動モードをＦＥＭ解析した図、図１０は図９中Ａ−Ａ線拡大断面図、図１１は図９中Ａ−Ａ線断面部分の振動時の変形状態をＦＥＭ解析した図、図１２は図９中Ａ−Ａ線断面部分の半周期後の振動時の変形状態をＦＥＭ解析した図、図１３は内側部分の厚みを減少させた網枠の振動モードをＦＥＭ解析した図、図１４は図１３中Ｂ−Ｂ線拡大断面図、図１５は図１３中Ｂ−Ｂ線断面部分の振動時の変形状態をＦＥＭ解析した図、図１６は図１３中Ｂ−Ｂ線断面部分の半周期後の振動時の変形状態をＦＥＭ解析した図である。
【手続補正２】
【補正対象書類名】図面
【補正対象項目名】図８
【補正方法】変更
【補正の内容】
【図８】
2008114133.tif 000025